【手続補正書】
【提出日】平成16年6月18日(2004.6.18)
【手続補正１】
【補正対象書類名】明細書
【補正対象項目名】発明の名称
【補正方法】変更
【補正の内容】
【発明の名称】画像形成装置、画像形成方法、クライアント装置、及び制御プログラム
【手続補正２】
【補正対象書類名】明細書
【補正対象項目名】特許請求の範囲
【補正方法】変更
【補正の内容】
【特許請求の範囲】
【請求項１】
クライアント装置からネットワークを介して印刷を依頼されたデータを印刷する画像形成装置であって、
前記クライアント装置から送信された電子メールの本文部中に、命令列が記述されているか否かを判別する判別手段と、
前記判別手段により前記命令列が記述されていると判別された場合に、前記電子メールに添付された添付ファイルに収納されたデータを該命令列に従って印刷処理する制御手段と、
を備えることを特徴とする画像形成装置。
【請求項２】
前記判別手段は、印刷指示及び前記画像形成装置での異常発生時の処理手順を示す命令列が前記本文部に記述されているか否かを判別することを特徴とする請求項１記載の画像形成装置。
【請求項３】
前記画像形成装置は、前記判別手段により該画像形成装置での異常発生時の処理手順を示す命令列が前記本文部に記述されていると判別され、かつ、該画像形成装置で異常が発生した場合、該画像形成装置で異常が発生した旨を前記電子メールを送信したクライアント装置に通知する通知手段を有することを特徴とする請求項１記載の画像形成装置。
【請求項４】
前記通知手段は、前記異常が発生した旨を電子メールで通知することを特徴とする請求項３記載の画像形成装置。
【請求項５】
前記命令列は、前記添付ファイルに収納されたデータの印刷を指示するコマンド、前記クライアント装置が前記電子メールにて印刷を依頼した前記画像形成装置が印刷不可であった場合に、該添付ファイルを他の画像形成装置に転送して印刷させるように指示するコマンド、該電子メールを印刷依頼先の画像形成装置に送信するように指示するコマンド、データを記憶媒体に保存するように指示するコマンドのうち、何れか１つ或いは複数を含むことを特徴とする請求項１記載の画像形成装置。
【請求項６】
前記画像形成装置が印刷不可であった場合とは、前記画像形成装置がオフラインであった場合であることを特徴とする請求項５記載の画像形成装置。
【請求項７】
前記画像形成装置が印刷不可であった場合とは、前記画像形成装置に用紙ジャムが発生した場合であることを特徴とする請求項５記載の画像形成装置。
【請求項８】
前記印刷を指示するコマンドは、前記添付ファイルのファイル名を指定するオプション、全ての前記添付ファイルに収納されたデータの印刷を指示するオプションのうち何れか一方或いは双方のオプションを利用したコマンドであることを特徴とする請求項５記載の画像形成装置。
【請求項９】
前記添付ファイルを他の画像形成装置に転送して印刷させるように指示するコマンドは、該添付ファイルの転送先を指定するオプションを利用したコマンドであることを特徴とする請求項５記載の画像形成装置。
【請求項１０】
前記電子メールを送信するように指示するコマンドは、該電子メールの送信先を指定するオプションを利用したコマンドであることを特徴とする請求項５記載の画像形成装置。
【請求項１１】
前記電子メールを送信するように指示するコマンドは、正常に印刷が終了したことを通知するメッセージを電子メールで送信させるオプション、印刷開始段階、或いは印刷中にエラーが発生した旨を電子メールで送信させるオプション、引数で指定された文字列を電子メールで送信させるオプションのうち、何れか１つ或いは複数のオプションを利用したコマンドであることを特徴とする請求項５記載の画像形成装置。
【請求項１２】
前記データを記憶媒体に保存するように指示するコマンドは、記憶媒体に保存するファイル名を指定するオプション、ファイルを保存する領域ＩＤを指定するオプション、保存したファイルを読み出すためのパスワードを指定するオプションのうち何れか１つ以上のコマンドであることを特徴とする請求項５記載の画像形成装置。
【請求項１３】
クライアント装置からネットワークを介して画像形成装置に印刷要求を行うことにより画像形成処理を行う画像形成方法であって、
前記画像形成装置は、前記クライアント装置から送信された電子メール中に、命令列が記述されているか否かを判別する判別工程と、
前記判別工程により前記命令列が記述されていると判別された場合に、前記添付ファイルに収納されたデータを該命令列に従って印刷処理する制御工程と、
を有することを特徴とする画像形成方法。
【請求項１４】
前記判別工程は、印刷指示及び前記画像形成装置での異常発生時の処理手順を示す命令列が前記本文部に記述されているか否かを判別することを特徴とする請求項１３記載の画像形成方法。
【請求項１５】
前記画像形成装置は、前記判別工程により該画像形成装置での異常発生時の処理手順を示す命令列が前記本文部に記述されていると判別され、かつ、該画像形成装置で異常が発生した場合、該画像形成装置で異常が発生した旨を前記電子メールを送信したクライアント装置に通知する通知工程を有することを特徴とする請求項１３記載の画像形成方法。
【請求項１６】
前記通知工程は、前記異常が発生した旨を電子メールで通知することを特徴とする請求項１５記載の画像形成方法。
【請求項１７】
前記命令列は、前記添付ファイルに収納されたデータの印刷を指示するコマンド、前記クライアント装置が前記電子メールにて印刷を依頼した前記画像形成装置が印刷不可であった場合に、該添付ファイルを他の画像形成装置に転送して印刷させるように指示するコマンド、該電子メールを印刷依頼先の画像形成装置に送信するように指示するコマンド、データを記憶媒体に保存するように指示するコマンドのうち、何れか１つ或いは複数を含むことを特徴とする請求項１３記載の画像形成方法。
【請求項１８】
前記画像形成装置が印刷不可であった場合とは、前記画像形成装置がオフラインであった場合であることを特徴とする請求項１７記載の画像形成方法。
【請求項１９】
前記画像形成装置が印刷不可であった場合とは、前記画像形成装置に用紙ジャムが発生した場合であることを特徴とする請求項１７記載の画像形成方法。
【請求項２０】
前記印刷を指示するコマンドは、前記添付ファイルのファイル名を指定するオプション、全ての前記添付ファイルに収納されたデータの印刷を指示するオプションのうち何れか一方或いは双方のオプションを利用したコマンドであることを特徴とする請求項１７記載の画像形成方法。
【請求項２１】
前記添付ファイルを他の画像形成装置に転送して印刷させるように指示するコマンドは、該添付ファイルの転送先を指定するオプションを利用したコマンドであることを特徴とする請求項１７記載の画像形成方法。
【請求項２２】
前記電子メールを送信するように指示するコマンドは、該電子メールの送信先を指定するオプションを利用したコマンドであることを特徴とする請求項１７記載の画像形成方法。
【請求項２３】
前記電子メールを送信するように指示するコマンドは、正常に印刷が終了したことを通知するメッセージを電子メールで送信させるオプション、印刷開始段階、或いは印刷中にエラーが発生した旨を電子メールで送信させるオプション、引数で指定された文字列を電子メールで送信させるオプションのうち、何れか１つ或いは複数のオプションを利用したコマンドであることを特徴とする請求項１７記載の画像形成方法。
【請求項２４】
前記データを記憶媒体に保存するように指示するコマンドは、記憶媒体に保存するファイル名を指定するオプション、ファイルを保存する領域ＩＤを指定するオプション、保存したファイルを読み出すためのパスワードを指定するオプションのうち何れか一つ、或いは複数のオプションを利用したコマンドであることを特徴とする請求項１７記載の画像形成方法。
【請求項２５】
ネットワーク上の画像形成装置に対してデータを送信して印刷を依頼するクライアント装置であって、
印刷対象のデータを電子メールの添付ファイルとして前記画像形成装置に送信する送信手段と、
前記電子メールの本文部に前記添付ファイル内のデータを印刷する際に使用すべき命令列を記述する記述手段と、
を有することを特徴とするクライアント装置。
【請求項２６】
クライアント装置からネットワークを介して印刷を依頼されたデータを印刷する画像形成装置により実行される制御プログラムであって、
前記クライアント装置から送信された電子メールについて、ヘッダ部、本文部、添付ファイルを識別する識別し、識別された前記本文部に命令列が記述されているか否かを判別し、前記命令列が記述されていると判別された場合に、前記添付ファイルに収納されたデータを該命令列に従って印刷処理する内容を有することを特徴とする制御プログラム。
【請求項２７】
ネットワーク上の画像形成装置に対してデータを送信して印刷を依頼するクライアント装置により実行される制御プログラムであって、
印刷対象のデータを電子メールの添付ファイルとして前記画像形成装置に送信すると共に、前記電子メールの本文部に前記添付ファイル内のデータを印刷する際に使用すべき命令列を記述する内容を有することを特徴とする制御プログラム。
【手続補正３】
【補正対象書類名】明細書
【補正対象項目名】０１７１
【補正方法】削除
【補正の内容】
【手続補正４】
【補正対象書類名】明細書
【補正対象項目名】０１７２
【補正方法】削除
【補正の内容】
【手続補正５】
【補正対象書類名】明細書
【補正対象項目名】０１７３
【補正方法】削除
【補正の内容】
【手続補正６】
【補正対象書類名】明細書
【補正対象項目名】０１７４
【補正方法】削除
【補正の内容】
【手続補正７】
【補正対象書類名】明細書
【補正対象項目名】０１７５
【補正方法】削除
【補正の内容】
【手続補正８】
【補正対象書類名】明細書
【補正対象項目名】０１７６
【補正方法】削除
【補正の内容】
【手続補正９】
【補正対象書類名】明細書
【補正対象項目名】０１７７
【補正方法】削除
【補正の内容】
【手続補正１０】
【補正対象書類名】明細書
【補正対象項目名】０１７８
【補正方法】削除
【補正の内容】
【手続補正１１】
【補正対象書類名】明細書
【補正対象項目名】０１７９
【補正方法】削除
【補正の内容】
【手続補正１２】
【補正対象書類名】明細書
【補正対象項目名】０１８０
【補正方法】削除
【補正の内容】
【手続補正１３】
【補正対象書類名】明細書
【補正対象項目名】０１８１
【補正方法】削除
【補正の内容】
【手続補正１４】
【補正対象書類名】明細書
【補正対象項目名】０１８２
【補正方法】削除
【補正の内容】
【手続補正１５】
【補正対象書類名】明細書
【補正対象項目名】０１８３
【補正方法】削除
【補正の内容】
【手続補正１６】
【補正対象書類名】明細書
【補正対象項目名】０１８４
【補正方法】削除
【補正の内容】
【手続補正１７】
【補正対象書類名】明細書
【補正対象項目名】０１８５
【補正方法】削除
【補正の内容】
【手続補正１８】
【補正対象書類名】明細書
【補正対象項目名】０１８６
【補正方法】削除
【補正の内容】
【手続補正１９】
【補正対象書類名】明細書
【補正対象項目名】０１８７
【補正方法】削除
【補正の内容】
【手続補正２０】
【補正対象書類名】明細書
【補正対象項目名】０１８８
【補正方法】削除
【補正の内容】
【手続補正２１】
【補正対象書類名】明細書
【補正対象項目名】０１８９
【補正方法】削除
【補正の内容】
【手続補正２２】
【補正対象書類名】明細書
【補正対象項目名】０１９０
【補正方法】削除
【補正の内容】
【手続補正２３】
【補正対象書類名】明細書
【補正対象項目名】０１９１
【補正方法】削除
【補正の内容】
【手続補正２４】
【補正対象書類名】明細書
【補正対象項目名】０１９２
【補正方法】削除
【補正の内容】
【手続補正２５】
【補正対象書類名】明細書
【補正対象項目名】０１９３
【補正方法】削除
【補正の内容】
【手続補正２６】
【補正対象書類名】明細書
【補正対象項目名】０１９４
【補正方法】削除
【補正の内容】
【手続補正２７】
【補正対象書類名】明細書
【補正対象項目名】０１９５
【補正方法】削除
【補正の内容】
【手続補正２８】
【補正対象書類名】明細書
【補正対象項目名】０１９６
【補正方法】削除
【補正の内容】
【手続補正２９】
【補正対象書類名】明細書
【補正対象項目名】０１９７
【補正方法】削除
【補正の内容】
【手続補正３０】
【補正対象書類名】明細書
【補正対象項目名】０１９８
【補正方法】削除
【補正の内容】
【手続補正３１】
【補正対象書類名】明細書
【補正対象項目名】０１９９
【補正方法】削除
【補正の内容】
【手続補正３２】
【補正対象書類名】明細書
【補正対象項目名】０２００
【補正方法】削除
【補正の内容】
【手続補正３３】
【補正対象書類名】明細書
【補正対象項目名】０２０１
【補正方法】削除
【補正の内容】
【手続補正３４】
【補正対象書類名】明細書
【補正対象項目名】０２０２
【補正方法】削除
【補正の内容】
【手続補正３５】
【補正対象書類名】明細書
【補正対象項目名】０２０３
【補正方法】削除
【補正の内容】
【手続補正３６】
【補正対象書類名】明細書
【補正対象項目名】０２０４
【補正方法】削除
【補正の内容】
【手続補正３７】
【補正対象書類名】明細書
【補正対象項目名】０２０５
【補正方法】削除
【補正の内容】
【手続補正３８】
【補正対象書類名】明細書
【補正対象項目名】０２０６
【補正方法】削除
【補正の内容】
【手続補正３９】
【補正対象書類名】明細書
【補正対象項目名】０２０７
【補正方法】削除
【補正の内容】
【手続補正４０】
【補正対象書類名】明細書
【補正対象項目名】０２０８
【補正方法】削除
【補正の内容】